(57)【要約】【課題】  リモコンに備えられたカーソル移動ボタンを用いて、チャンネルUP/DOWNボタンと同様の操作感覚で表示装置に表示された番組ガイド表のチャンネル数を昇順又は降順させることができる放送番組受信装置を提供する。【解決手段】  表示制御手段は、番組ガイド情報表示手段により番組ガイド情報が表示部に表示されているとき、カーソル移動手段によりカーソルを上に移動させる操作がされると、番組ガイド情報のチャンネル数を昇順させた番組ガイド情報を表示装置に表示させ、カーソル移動手段によりカーソルを下に移動させる操作がされると、番組ガイド情報のチャンネル数を降順させた番組ガイド情報を表示装置に表示させる制御をする。【選択図】  図３
2006101349.tif 000002
【特許請求の範囲】
【請求項１】
放送番組情報及び番組ガイド情報を受信する受信部と、前記受信部を操作する操作部とを備え前記受信部により受信された放送番組情報及び番組ガイド情報を表示装置に出力する放送番組受信装置において、
前記操作部は、
表示装置に表示されたカーソルを上下左右に移動させるカーソル移動手段と、
前記受信部が受信する番組ガイド情報を表示装置に表示させる操作をする番組ガイド情報表示手段とを有し、
前記受信部は、
前記番組ガイド情報表示手段により番組ガイド情報を表示装置に表示させる操作をすると、表示装置の表示画面の縦軸を放送局のチャンネルとし横軸を放送時間とした番組ガイド情報を表示装置に表示させる制御をする表示制御手段を有し、
前記表示制御手段は、
番組ガイド情報が表示装置に表示されているとき、前記カーソル移動手段によりカーソルを上に移動する操作がされると、番組ガイド情報のチャンネルを昇順方向に移動した番組ガイド情報を表示装置に表示させ、前記カーソル移動手段によりカーソルを下に移動する操作がされると、番組ガイド情報のチャンネルを降順方向に移動した番組ガイド情報を表示装置に表示させる制御をすることを特徴とする放送番組受信装置。
【発明の詳細な説明】
【技術分野】
【０００１】
本発明は、表示装置に表示させる放送番組情報及び番組ガイド情報を受信する放送番組受信装置に関する。
【背景技術】
【０００２】
テレビ放送局から配信された放送番組情報を受信する受信装置において、EPG（電子番組ガイド：Electronic Program Guide）を受信することができる受信装置がある。EPGとは、例えば、テレビ放送局が放送する１週間の放送番組に関するガイド情報である。このような受信装置は、放送番組情報を記録媒体に記録し記録媒体に記録された放送番組情報を再生し接続された表示装置に出力することができる記録再生装置等に備えられている。
【０００３】
EPGは、テレビ放送局のチャンネル軸と放送時間軸から構成される番組ガイド表として表示装置に表示される。通常、表示装置の表示画面には、一部のチャンネルや放送時間帯の番組ガイド表が表示されるため、ユーザは、記録再生装置を操作するリモコンを用いて、記録再生装置に表示されていないチャンネルや放送時間帯の番組ガイド表を表示装置に表示させる操作を行う。図４は、表示装置に表示された番組ガイド表を示す図である。図５は、記録再生装置を操作するリモコンの外観を示す図である。
【０００４】
図４に示すように、表示装置の表示画面２００の縦方向がチャンネル軸であり、横方向が放送時間軸であるEPGの番組ガイド表２０１が表示される。図４（a）に示す表示装置の表示画面２００には、放送局のチャンネル番号である５チャンネル（5ch）から７チャンネル（7ch）の１０時から１３時の放送時間帯の番組ガイド表２０１とカーソル２０２が表示されている。ユーザは、図５に示すように、リモコン３０に設けられたカーソル移動ボタンを操作することにより、表示画面２００に表示されているカーソル２０２を上下左右に移動させ放送番組を選択することができる（例えば、特許文献１参照）。
【０００５】
ユーザがリモコン３０に設けられたカーソル移動ボタンを操作して、表示画面２００に表示されているカーソル２０２を移動させる場合の説明をする。
図４（a）に示すように、カーソル２０２が６チャンネルの番組６１を選択している場合、ユーザがカーソル２０２を表示画面２００の上方向に移動させるカーソル移動ボタン１５を押すと、カーソル２０２は、番組６１と同じ放送時間帯の５チャンネルの番組５１を選択するように移動する。同じように、ユーザがカーソル２０２を表示画面２００の右方向に移動させるカーソル移動ボタン１６を押すと、番組６１の次の放送時間帯の６チャンネルの番組６２を選択するように移動する。ユーザがカーソル２０２を表示画面２００の下方向に移動させるカーソル移動ボタン１７を押すと、番組６１と同じ放送時間帯の７チャンネルの番組７１を選択するように移動する。また、ユーザがカーソル２０２を表示画面２００の左方向に移動させるカーソル移動ボタン１８を押すと、番組６１の前の放送時間帯の６チャンネルの番組６０を選択するように移動する。
【０００６】
ユーザは、カーソル移動ボタン１７を押して図４（a）に示す７チャンネルの番組７１にカーソル２０２を移動させた後、更に、カーソル移動ボタン１７を押すと、図４（b）に示すように、６チャンネル（6ch）から８チャンネル（8ch）の１０時から１３時の放送時間帯の番組ガイド表が表示画面２００に表示されるので、８チャンネルの１０時から１３時の放送時間帯の番組ガイド表２０１を確認することができるようになる。また、ユーザは、カーソル移動ボタン１５を押して図４（a）に示す５チャンネルの番組５１にカーソル２０２を移動させた後、更に、カーソル移動ボタン１５を押すと、図４（c）に示すように、４チャンネル（4ch）から６チャンネル（6ch）の１０時から１３時の放送時間帯の番組ガイド表２０１が表示画面２００に表示されるので、４チャンネルの１０時から１３時の放送時間帯の番組ガイド表２０１を確認することができるようになる。
【０００７】
このように、ユーザは、カーソル移動ボタン１５によりカーソル２０２を表示画面２００の上下方向に移動させる操作を行うことにより、表示装置の表示画面２００に表示されていない番組ガイド表２０１のチャンネルを表示させることができる。
【０００８】
【特許文献１】特開2001-346119号公報
【発明の開示】
【発明が解決しようとする課題】
【０００９】
記録再生装置等に備えられた受信装置が受信した放送番組が表示装置の表示画面２００に表示されているとき、ユーザは、表示されているチャンネルを切り替えるために、リモコン３０に設けられたチャンネル番号に対応した数字が付された数字ボタン２２あるいは、チャンネルUP/DOWNボタンの操作を行う。
【００１０】
チャンネルUP/DOWNボタンは、チャンネル番号を昇順に切り替えるチャンネルUPボタン２０及びチャンネル番号を降順に切り替えるチャンネルDOWNボタン２１を備えている。図５に示すように、チャンネルUPボタン２０とチャンネルDOWNボタン２１は、カーソルを表示画面の上方向に移動させるカーソル移動ボタン１５とカーソルを表示画面の下方向に移動させるカーソル移動ボタン１７の位置関係と同じようにリモコン３０に設けられている。
【００１１】
ユーザは、チャンネルUPボタン２０を押すごとに、チャンネル番号を６チャンネル→７チャンネル→８チャンネル…のように昇順に切り替えさせ、表示装置に表示させることができる。また、ユーザは、チャンネルDOWNボタン２１を押すごとに、チャンネル番号を６チャンネル→５チャンネル→４チャンネル…のように降順に切り替えさせ、表示装置に表示させることができる。
【００１２】
上述したように、ユーザは、表示装置に番組ガイド表が表示されている場合、表示画面に表示させるチャンネル番号を昇順方向に移動させるために、カーソルを表示画面の下方向に移動させるカーソル移動ボタン１７の操作を行う。しかしながら、ユーザは、表示装置に放送番組が表示されている場合、表示画面にチャンネル番号を昇順に切り替えるために、チャンネルUPボタン２０の操作を行う。
【００１３】
同様にして、ユーザは、表示装置に番組ガイド表が表示されている場合、表示画面に表示させるチャンネル番号を降順方向に移動させるために、カーソルを表示画面の上方向に移動させるカーソル移動ボタン１５の操作を行う。しかしながら、ユーザは、表示装置に放送番組が表示されている場合、表示画面にチャンネル番号を降順に切り替えるために、チャンネルDOWNボタン２１の操作を行う。
【００１４】
このように、表示画面に表示させるチャンネルの放送番組を昇順又は降順に切り替える操作は、表示画面に番組ガイド表が表示されているとき、番組ガイド表のチャンネルを昇順又は降順に移動させる操作と異なるため、チャンネルUPボタン２０とチャンネルDOWNボタン２１によるチャンネル選択の操作に慣れたユーザにとって、カーソルを移動させて番組ガイド表のチャンネルを昇順又は降順に移動させる操作に違和感が生じる。そして、ユーザは、このような操作感覚の違いにより、誤操作をすることもある。
【００１５】
すなわち、従来のリモコン３０において、チャンネルUPボタン２０を操作すると、チャンネル番号が昇順に切り替わるのに対し、カーソルを表示画面の上方向に移動させるカーソル移動ボタン１５を操作すると、カーソルが選択するチャンネル番号が降順方向に移動するため、カーソルが選択するチャンネル番号を昇順方向に移動させるために、ユーザがチャンネルUP/DOWNボタンと同様の操作感覚でカーソル移動ボタンを操作すると、カーソルが選択するチャンネル番号が降順方向に移動してしまう。
同様にして、従来のリモコンにおいて、チャンネルDOWNボタン２１を操作すると、チャンネル番号が降順に切り替わるのに対し、カーソルを表示画面の下方向に移動させるカーソル移動ボタン１７を操作すると、カーソルが選択するチャンネル番号が昇順方向に移動するため、カーソルが選択するチャンネル番号を降順方向に移動させるために、ユーザがチャンネルUP/DOWNボタンと同様の操作感覚でカーソル移動ボタンを操作すると、カーソルが選択するチャンネル番号が昇順方向に移動してしまう。
【００１６】
また、ユーザがチャンネル番号を昇順又は降順方向に移動させると、カーソルが表示画面上で上下方向に移動し、ユーザは、選択したチャンネルの放送番組のガイド情報を視認するために、移動したカーソルに視点を合わせる。しかしながら、ユーザが短時間にカーソルを連続して昇順又は降順方向に移動させた場合、カーソルが表示画面上を上下方向に短時間で移動するため、ユーザは、短時間で移動するカーソルに視点を合わせなければならず、ユーザにとって放送番組のガイド情報が認識しずらくなってしまう。
【００１７】
本発明は、上述の課題を解決するためになされたものであり、リモコンに備えられたカーソル移動ボタンを用いて、チャンネルUP/DOWNボタンと同様の操作感覚で表示装置に表示された番組ガイド表のチャンネルを昇順又は降順方向に移動させることができ、チャンネル選択時にユーザにとって見易い番組ガイド表を表示することができる放送番組受信装置を提供することを目的とする。
【課題を解決するための手段】
【００１８】
本願の請求項１に記載の発明は、放送番組情報及び番組ガイド情報を受信する受信部と、前記受信部を操作する操作部とを備え前記受信部により受信された放送番組情報及び番組ガイド情報を表示装置に出力する放送番組受信装置において、前記操作部は、表示装置に表示されたカーソルを上下左右に移動させるカーソル移動手段と、前記受信部が受信する番組ガイド情報を表示装置に表示させる操作をする番組ガイド情報表示手段とを有し、前記受信部は、前記番組ガイド情報表示手段により番組ガイド情報を表示装置に表示させる操作をすると、表示装置の表示画面の縦軸を放送局のチャンネルとし横軸を放送時間とした番組ガイド情報を前記表示装置に表示させる制御をする表示制御手段を有し、前記表示制御手段は、番組ガイド情報が表示装置に表示されているとき、前記カーソル移動手段によりカーソルを上に移動する操作がされると、番組ガイド情報のチャンネルを昇順方向に移動した番組ガイド情報を表示装置に表示させ、前記カーソル移動手段によりカーソルを下に移動する操作がされると、番組ガイド情報のチャンネルを降順方向に移動した番組ガイド情報を表示装置に表示させる制御をすることを特徴とする。
【発明の効果】
【００１９】
本発明によれば、リモコンに備えられたカーソル移動ボタンを用いて、チャンネルUP/DOWNボタンと同様の操作感覚で表示装置に表示された番組ガイド表のチャンネルを昇順又は降順方向に移動させることができ、チャンネル選択時にユーザにとって見易い番組ガイド表を表示することができる放送番組受信装置を提供することができる。
【発明を実施するための最良の形態】
【００２０】
以下、本発明の実施の形態を図面に基づいて説明する。
図１は、本発明の一実施例である放送番組受信装置の構成を示すブロック図である。図１に示す放送番組受信装置１は、受信部２及びリモコン３を備えている。受信部２は、情報受信部４、デコード部５、番組ガイド表作成部６、表示制御部７、出力部８、記録再生部９、制御部１０及び受光部１１を備えている。また、放送番組受信装置１は、表示装置１２と接続されている。
【００２１】
受信部２において、情報受信部４は、テレビ放送局から送信された放送番組情報及びEPG情報を受信する。情報受信部４は、例えば、MPEG（Moving Picture Experts Group）方式のデジタルデータの放送番組情報を受信する。情報受信部４は、受信した放送番組情報をデコード部５に入力する。また、情報受信部４は、受信したEPG情報を番組ガイド表作成部６に入力する。
【００２２】
デコード部５は、入力された放送番組情報をデコードし表示制御部７に入力する。番組ガイド表作成部６は、入力されたEPG情報から表示装置１２に表示される番組ガイド表を作成する。本実施例において、番組ガイド表作成部６は、表示装置１２の表示画面の縦方向がチャンネル軸、横方向が放送時間軸となる番組ガイド表情報を作成し、作成した番組ガイド表情報を図示しないメモリに記憶する。
【００２３】
表示制御部７は、制御部１０から放送番組情報を出力部９に出力させる指示があると、デコード部５から入力された放送番組情報を出力部８に出力する制御をする。また、表示制御部７は、制御部１０から番組ガイド表情報を出力部８に出力する指示があると、番組ガイド表作成部６のメモリに記憶された番組ガイド表情報を読み出す制御をし、読み出した番組ガイド表情報を出力部８に出力する制御をする。
【００２４】
出力部８は、図示しないデジタル-アナログ変換部、ビデオ出力部、オーディオ出力部を備えている。出力部８に入力された放送番組情報は、デジタル-アナログ変換部によりアナログビデオ信号及びアナログオーディオ信号に変換される。アナログビデオ信号はビデオ出力部から出力され、アナログオーディオ信号はオーディオ出力部から出力される。また、出力部８に入力された番組ガイド表情報は、デジタル-アナログ変換部によりアナログ信号に変換され、ビデオ出力部から出力される。
【００２５】
記録再生部９は、制御部１０の制御により情報受信部４が受信した放送番組情報を図示しないHDD（Hard Disk Drive）等の記録媒体に記録する。記録再生部９は、制御部１０の制御により記録媒体に記録された放送番組情報を再生し、再生した放送番組情報をデコード部５に入力する。
【００２６】
受光部１１は、放送番組受信装置１を操作するリモコン３から送信されるリモコンコード信号を受光する。受光部１１は、受光したリモコンコード信号をデコードし制御部１０に出力する。制御部１０は、入力されたリモコンコード信号に基づいて情報受信部４、表示制御部７及び記録再生部９を制御し、表示装置１２に表示されたカーソルを移動させる制御をする。
【００２７】
図２は、本実施例の放送番組受信装置１を操作するリモコン３の外観を示す図である。
図２に示す電源ボタン１３は、放送番組受信装置１の電源のON/OFFを指示する操作ボタンである。EPG表示ボタン１４は、番組ガイド表を表示装置１２に表示させる指示をする操作ボタンである。カーソル移動ボタン１５は、表示装置１２に表示されたカーソルを表示画面の上方向に移動させる指示をする操作ボタンである。カーソル移動ボタン１６は、表示装置２に表示されたカーソルを表示画面の右方向に移動させる指示をする操作ボタンである。カーソル移動ボタン１７は、表示装置２に表示されたカーソルを表示画面の下方向に移動させる指示をする操作ボタンである。カーソル移動ボタン１８は、表示装置２に表示されたカーソルを表示画面の左方向に移動させる指示をする操作ボタンである。決定ボタン１９は、カーソル移動ボタンによりカーソルが移動され選択された処理を実行する操作ボタンである。
【００２８】
チャンネルUPボタン２０は、放送番組が表示装置１２に表示されているとき、表示するチャンネル番号を昇順に切り替える指示をする操作ボタンである。チャンネルDOWNボタン２１は、放送番組が表示装置１２に表示されているとき、表示するチャンネル番号を降順に切り替える指示をする操作ボタンである。数字ボタン２２は、放送番組が表示装置１２に表示されているとき、表示するチャンネル番号に対応した数字が付された複数の操作ボタンである。
【００２９】
放送番組が表示装置１２に表示されているとき、ユーザがチャンネルUPボタン２０を押すと、制御部１０は、受光部１１から入力されたリモコンコード信号に基づいて、情報受信部４が受信しているチャンネル番号を昇順に切り替える制御をする。例えば、情報受信部４が現在、６チャンネルを受信しているとき、チャンネルUPボタン２０が押されるごとに、制御部１０は、７チャンネル→８チャンネル→９チャンネル…のように受信するチャンネル番号を切り替える制御をする。
【００３０】
また、放送番組が表示装置１２に表示されているとき、ユーザがチャンネルDOWNボタン２１を押すと、制御部１０は、受光部１１から入力されたリモコンコード信号に基づいて、情報受信部４が受信しているチャンネル番号を降順に切り替える制御をする。例えば、情報受信部４が現在、６チャンネルを受信しているとき、チャンネルDOWNボタン２１が押されるごとに、制御部１０は、５チャンネル→４チャンネル→３チャンネル…のように受信するチャンネル番号を切り替える制御をする。
【００３１】
図３は、本実施例の表示装置１２の表示画面に表示された番組ガイド表を示す図である。
図３に示すように、表示装置１２の表示画面２００の縦方向がチャンネル軸であり、横方向が放送時間軸であるEPGの番組ガイド表２０１が表示される。図３（a）に示す表示画面２００には、放送局のチャンネル番号である５チャンネル（5ch）から７チャンネル（7ch）の１０時から１３時の放送時間帯の番組ガイド表２０１とカーソル２０２が表示されている。
【００３２】
ユーザは、EPGの番組ガイド表を表示装置１２に表示させるために、EPG表示ボタン１４を押す。制御部１０は、番組ガイド表を表示させるリモコンコード信号が入力されると、表示制御部７に番組ガイド表情報を出力部８に出力する制御をする。表示制御部７は、番組ガイド表作成部６のメモリに記憶された番組ガイド表情報を読み出す制御をし、読み出した番組ガイド表情報を出力部８に出力する制御をする。出力部８は、入力された番組ガイド情報をアナログ信号に変換し、表示装置１２に出力する。このようにして、図３に示すように、表示装置１２の表示画面２００に番組ガイド表２０１が表示される。
【００３３】
本実施例において、リモコン３を用いてカーソル２０２を移動させる場合の説明をする。図３（a）に示すように、カーソル２０２が６チャンネルの番組６１を選択している場合、ユーザがカーソル２０２を表示画面２００の右方向に移動させるカーソル移動ボタン１６を押すと、制御部１０は、カーソル２０２を番組６１の次の放送時間帯の６チャンネルの番組６２を選択するように移動させる制御をする。また、ユーザがカーソル２０２を表示画面２００の左方向に移動させるカーソル移動ボタン１８を押すと、制御部１０は、カーソル２０２を番組６１の前の放送時間帯の６チャンネルの番組６０を選択するように移動させる制御をする。
【００３４】
ここで、ユーザがカーソル２０２を表示画面２００の上方向に移動させるカーソル移動ボタン１５を押すと、制御部１０は、表示画面２００に表示させる番組ガイド表を図３（a）に示す番組ガイド表から図３（b）に示す番組ガイド表を表示させる制御をする。つまり、制御部１０は、カーソル２０２を表示画面２００の上方向に移動させるカーソル移動ボタン１５が押されると、図３（a）に示す番組ガイド表のチャンネル番号から１つ昇順方向に移動させたチャンネル番号の番組ガイド表を表示画面２００に表示させるように制御する。したがって、図３（b）に示すように、カーソル２０２は、番組６１と同じ放送時間帯の７チャンネルの番組７１を選択するように移動する。
【００３５】
従来の技術では、カーソル２０２が６チャンネルの番組６１を選択している場合、カーソル２０２を表示画面２００の上方向に移動させるカーソル移動ボタン１５が押されると、カーソル２０２は、番組６１と同じ放送時間帯の５チャンネルの番組５１を選択するように移動する。このように、カーソル２０２は、チャンネル番号が降順方向に移動する。しかし、本実施例では、表示装置１２に番組ガイド表が表示されているとき、カーソル２０２を表示画面２００の上方向に移動させるカーソル移動ボタン１５が押されると、チャンネル番号が昇順方向にカーソル２０２が移動する。
【００３６】
したがって、本実施例において、カーソル２０２は、表示装置１２に番組ガイド表２０１が表示されているとき、カーソル２０２を表示画面２００の上方向に移動させるカーソル移動ボタン１５が押されると、チャンネルUPボタンが押されたように、チャンネル番号が昇順方向に移動する。
【００３７】
また、ユーザがカーソル２０２を表示画面２００の下方向に移動させるカーソル移動ボタン１７を押すと、制御部１０は、表示画面２００に表示させる番組ガイド表を図３（a）に示す番組ガイド表から図３（c）に示す番組ガイド表を表示させる制御をする。つまり、制御部１０は、カーソル２０２を表示画面２００の下方向に移動させるカーソル移動ボタン１７が押されると、図３（a）に示す番組ガイド表のチャンネル番号から１つ降順方向に移動させたチャンネル番号の番組ガイド表を表示画面２００に表示させるように制御する。したがって、図３（c）に示すように、カーソル２０２は、番組６１と同じ放送時間帯の５チャンネルの番組５１を選択するように移動する。
【００３８】
従来の技術では、カーソル２０２が６チャンネルの番組６１を選択している場合、カーソル２０２を表示画面２００の下方向に移動させるカーソル移動ボタン１７が押されると、カーソル２０２は、番組６１と同じ放送時間帯の７チャンネルの番組７１を選択するように移動する。このように、カーソル２０２は、チャンネル番号が昇順方向に移動する。しかし、本実施例では、表示装置１２に番組ガイド表が表示されているとき、カーソル２０２を表示画面２００の下方向に移動させるカーソル移動ボタン１７が押されると、チャンネル番号が降順方向にカーソル２０２が移動する。
【００３９】
したがって、本実施例において、カーソル２０２は、表示装置１２に番組ガイド表２０１が表示されているとき、カーソル２０２を表示画面２００の下方向に移動させるカーソル移動ボタン１７が押されると、チャンネルDOWNボタンが押されたように、チャンネル番号が降順方向に移動する。
【００４０】
本実施例の放送番組受信装置において、カーソルの位置及び大きさは、図３に示すカーソルの位置及び大きさに限定されず、好ましくは、表示画面の中央部にカーソルを表示させる方が良い。カーソルが表示画面の中央部に表示されるため、ユーザは短時間にカーソルを連続して昇順又は降順方向に移動させても、カーソルに合わせて視点を移動させる必要がないので、ユーザにとって番組ガイド表が見易く、認識し易すくなる。
【００４１】
上述したように、本実施例の放送番組情報表示システムは、チャンネルUPボタン２０とチャンネルDOWNボタン２１によるチャンネル番号を昇順又は降順に切り替える操作と同様な操作感覚で、表示装置１２に番組ガイド表が表示されているとき、カーソルを表示画面の上方向に移動させるカーソル移動ボタン１５とカーソルを表示画面の下方向に移動させるカーソル移動ボタン１７によりチャンネル番号を昇順又は降順方向に移動させる操作をすることができる。
【図面の簡単な説明】
【００４２】
【図１】本発明の実施例である放送番組受信装置の構成を示すブロック図。
【図２】本発明の実施例であるリモコンの外観図。
【図３】本実施例の表示装置に表示された番組ガイド表を示す図。
【図４】表示装置に表示された従来の番組ガイド表を示す図。
【図５】従来のリモコンの外観図。
【符号の説明】
【００４３】
１…放送番組受信装置、２…受信部、３…リモコン、４…情報受信部、５…デコード部、６…番組ガイド表作成部、７…表示制御部、８…出力部、９…記録再生部、１０…制御部、１１…受光部、１２…表示装置、１３…電源ボタン、１４…EPG表示ボタン、１５，１６，１７，１８…カーソル移動ボタン、１９…決定ボタン、２０…チャンネルUPボタン、２１…チャンネルDOWNボタン、２２…数字ボタン、３０…リモコン、２００…表示画面、２０１…番組ガイド表、２０２…カーソル
【図１】
2006101349.tif 000003
【図２】
2006101349.tif 000004
【図３】
2006101349.tif 000005
【図４】
2006101349.tif 000006
【図５】
2006101349.tif 000007